【手続補正書】
【提出日】平成18年6月7日(2006.6.7)
【手続補正１】
【補正対象書類名】明細書
【補正対象項目名】特許請求の範囲
【補正方法】変更
【補正の内容】
【特許請求の範囲】
【請求項１】  接続された複数の外部装置より供給されるコンテンツデータを入力するコンテンツ入力手段と、
入力したコンテンツデータを端末装置に送信するコンテンツ送信手段と、
前記外部装置の種別に応じた複数のアプリケーションプログラムを記憶する記憶手段と、
前記外部装置の種別に基づいて前記複数のアプリケーションプログラムの中から選択されたアプリケーションプログラムを前記端末装置に送信するアプリケーション送信手段とを有することを特徴とするテレビジョン受信装置。
【請求項２】  前記コンテンツデータを映像音声データに復号する復号手段と、前記復号手段により復号された映像音声データを前記端末装置に適した符号化方式で符号化する符号化手段とを備え、前記コンテンツ送信手段は前記符号化手段から供給されたデータを前記端末装置に送信することを特徴とする請求項１に記載のテレビジョン受信装置。
【請求項３】  前記外部装置はデジタルＶＴＲ装置、ディスク録画再生装置等の記録再生装置であり、前記端末装置は画像を表示可能な表示端末装置であることを特徴とする請求項１に記載のテレビジョン受信装置。
【請求項４】  前記アプリケーションプログラムは前記表示端末装置にてコンテンツデータ視聴を行う際に実行され、表示レイアウト及びユーザー操作に対する処理を記述したものであることを特徴とする請求項３に記載のテレビジョン受信装置。
【請求項５】  前記アプリケーション送信手段は、前記入力手段へコンテンツデータを供給している前記記録再生装置がディスク録画装置の場合は特殊再生を実行する機能を含むアプリケーション、前記デジタルＶＴＲ装置の場合は特殊再生を実行する機能を含まないアプリケーションを選択することを特徴とする請求項４に記載のテレビジョン受信装置。
【請求項６】  記録再生装置から供給されるコンテンツデータを入力する記録コンテンツ入力手段と、
デジタル放送コンテンツデータを受信する放送コンテンツ入力手段と、
入力したコンテンツデータを端末装置に送信するコンテンツ送信手段と、
前記記録コンテンツと放送コンテンツのそれぞれに対応した複数のアプリケーションプログラムを記憶する記憶手段と、
前記コンテンツデータが記録コンテンツであるか放送コンテンツであるかに基づいて前記複数のアプリケーションプログラムの中から選択されたアプリケーションプログラムを前記端末装置に送信するアプリケーション送信手段とを有することを特徴とするテレビジョン受信装置。
【請求項７】  コンテンツデータを入力するコンテンツ入力手段と、
入力したコンテンツデータの属性を取得するコンテンツ属性取得手段と、
入力したコンテンツデータを表示端末装置に送信するコンテンツ送信手段と、
複数のアプリケーションプログラムを記憶する記憶手段と、
前記表示端末装置にアプリケーションプログラムを送信するアプリケーション送信手段と、
前記コンテンツ属性に基づいて前記複数のアプリケーションプログラムの中から選択されたアプリケーションプログラムを前記表示端末装置に送信するアプリケーション送信手段とを有することを特徴とするテレビジョン受信装置。
【請求項８】  前記コンテンツデータを映像音声データに復号する復号手段と、前記復号手段により復号された映像音声データを前記表示端末装置に適した符号化方式で符号化する符号化手段とを備え、前記コンテンツ送信手段は前記符号化手段から供給されたデータを前記表示端末装置に出力することを特徴とする請求項７に記載のテレビジョン受信装置。
【請求項９】  前記コンテンツ属性とはスポーツ、報道、ドラマ、ショッピング、映画等のコンテンツのジャンル分類であることを特徴とする請求項７または８に記載のテレビジョン受信装置。
【請求項１０】  前記コンテンツ属性とは映像のフォーマット情報、マルチビュー情報等のコンテンツの放送属性であることを特徴とする請求項７または８に記載のテレビジョン受信装置。
【請求項１１】  前記アプリケーションプログラムとは、前記表示端末装置にてコンテンツデータ視聴を実行する際に用いられ、表示レイアウト及びユーザー操作に対する処理を記述したものであることを特徴とする請求項７から８に記載のテレビジョン受信装置。
【請求項１２】  前記アプリケーション送信手段は、前記コンテンツ属性取得手段によって取得されたコンテンツ属性に基づいて前記記憶手段に記憶されたアプリケーションプログラムを加工し、前記表示端末装置へ送信することを特徴とする、請求項７から８に記載のいずれかにテレビジョン受信装置。
【請求項１３】  テレビジョン受信装置と、該テレビジョン受信装置とネットワークを介してデータの授受を行なう表示端末装置と、前記テレビジョン受信装置と接続された記録再生装置で構成されるテレビジョン受信システムにおいて、
前記テレビジョン受信装置は、放送コンテンツを受信する放送コンテンツ受信手段と、前記記録再生装置からコンテンツデータを入力する蓄積コンテンツ入力手段と、前記表示端末装置からの指示に対応して、放送コンテンツまたは蓄積コンテンツデータを前記表示端末装置に送信するコンテンツ送信手段と、複数のアプリケーションプログラムを記憶する記憶手段と、前記表示端末装置へ送信中のコンテンツが放送コンテンツであるか前記記録再生装置より入力したコンテンツであるかに従って前記複数のアプリケーションプログラムの中から選択されたアプリケーションプログラムを前記表示端末装置に送信するアプリケーション送信手段とを備え、
前記表示端末装置は、前記テレビジョン受信装置から送信されたコンテンツデータを受信する受信手段と、受信したコンテンツデータを再生するコンテンツ再生手段と、映像データを表示する表示手段と、前記コンテンツの再生と同時に前記テレビ受信装置から送信されたアプリケーションプログラムを実行するアプリケーション実行手段とを含むことを特徴とする、テレビジョン受信システム。
【請求項１４】  前記テレビジョン受信装置は種別や機能属性の異なる複数の記録再生装置と接続され、
前記アプリケーション送信手段は、前記表示端末装置へ送信中のコンテンツが記録再生装置からの蓄積コンテンツである場合に、前記記録再生装置の種別や機能属性に応じて前記複数のアプリケーションプログラムの中から選択されたアプリケーションプログラムを前記表示端末装置に送信するように構成されていることを特徴とする請求項１３に記載のテレビジョン受信システム。
【請求項１５】  テレビジョン受信装置と、該テレビジョン受信装置とネットワークを介してデータの授受を行なう表示端末装置と、前記テレビジョン受信装置と接続された記録再生装置で構成されるテレビ受信システムにおいて、
前記テレビジョン受信装置は、放送コンテンツデータを受信する放送コンテンツ受信手段と、前記記録再生装置から蓄積コンテンツデータを入力する蓄積コンテンツ入力手段と、入力したコンテンツデータの属性を取得するコンテンツ属性取得手段と、前記表示端末装置からの指示に対応して、放送コンテンツデータまたは蓄積コンテンツデータを前記表示端末装置に送信するコンテンツ送信手段と、複数のアプリケーションプログラムを記憶する記憶手段と、前記コンテンツ属性取得手段が取得したコンテンツ属性に基づき、前記アプリケーションプログラムのうち何れかを選択して、前記表示端末装置に送信するアプリケーション送信手段を有し、
前記表示端末装置は、前記テレビジョン受信装置から送信されたコンテンツデータを受信する受信手段と、受信したコンテンツデータを再生するコンテンツ再生手段と、映像データを表示する表示手段と、前記コンテンツデータの再生と同時に前記テレビジョン受信装置から送信されたアプリケーションプログラムを実行するアプリケーション実行手段とを有することを特徴とするテレビジョン受信システム。
【請求項１６】  前記表示端末装置はユーザー入力手段を有し、前記アプリケーションプログラムは前記ユーザー入力手段からの入力情報に基づいて前記テレビジョン受信装置にコマンドの送信を実行する処理を含み、前記テレビジョン受信装置は前記表示端末装置より送信されたコマンドを受信した際、そのコマンドに応じて前記記録再生装置の再生動作を制御する再生制御手段を有することを特徴とする請求項１３乃至１５に記載のテレビジョン受信システム。
【請求項１７】  テレビジョン受信装置と、該テレビジョン受信装置と接続された記録再生装置と、前記テレビジョン受信装置とネットワークを介してデータの授受を行なう表示端末装置と、該表示端末装置とネットワークを介してデータの授受を行うアプリケーションプログラムサーバーとで構成されるテレビ受信システムにおいて、
前記テレビジョン受信装置は、デジタル放送コンテンツを受信する放送コンテンツ受信手段と、前記記録再生装置から蓄積コンテンツデータを入力する蓄積コンテンツ入力手段と、入力したコンテンツデータの属性を取得するコンテンツ属性取得手段と、前記表示端末装置からの指示に対応して、放送コンテンツデータまたは蓄積コンテンツデータを前記表示端末装置に送信するコンテンツ送信手段と、複数のアプリケーションプログラムが格納されたネットワークアドレスを記憶する記憶手段と、前記コンテンツ属性取得手段が取得したコンテンツ属性に基づき、前記アプリケーションプログラムのうち何れかを選択して、前記表示端末装置に対しアプリケーションプログラムのネットワークアドレスを送信するアプリケーションアドレス送信手段を有し、
前記表示端末装置は、前記テレビジョン受信装置からの送信されたコンテンツデータを受信する受信手段と、受信したコンテンツデータを再生するコンテンツ再生手段と、映像データを表示する表示手段と、前記テレビ受信装置から送信されたアプリケーションプログラムのネットワークアドレスに基づいて前記アプリケーションサーバーよりアプリケーションプログラムを取得し前記コンテンツの再生と同時に該アプリケーションプログラムを実行するアプリケーション実行手段とを有することを特徴とするテレビジョン受信システム。
【手続補正２】
【補正対象書類名】明細書
【補正対象項目名】００１１
【補正方法】変更
【補正の内容】
【００１１】
【課題を解決するための手段】
上記課題を解決する為に、本願における請求項１に記載の発明によれば、接続された複数の外部装置より供給されるコンテンツデータを入力するコンテンツ入力手段と、
入力したコンテンツデータを端末装置に送信するコンテンツ送信手段と、
前記外部装置の種別に応じた複数のアプリケーションプログラムを記憶する記憶手段と、
前記外部装置の種別に基づいて前記複数のアプリケーションプログラムの中から選択されたアプリケーションプログラムを前記端末装置に送信するアプリケーション送信手段とを有するテレビジョン受信装置であることを特徴とする。
【手続補正３】
【補正対象書類名】明細書
【補正対象項目名】００１２
【補正方法】変更
【補正の内容】
【００１２】
また本願における請求項６に記載の発明によれば、記録再生装置から供給されるコンテンツデータを入力する記録コンテンツ入力手段と、
デジタル放送コンテンツデータを受信する放送コンテンツ入力手段と、
入力したコンテンツデータを端末装置に送信するコンテンツ送信手段と、
前記記録コンテンツと放送コンテンツのそれぞれに対応した複数のアプリケー
ションプログラムを記憶する記憶手段と、
前記コンテンツデータが記録コンテンツであるか放送コンテンツであるかに基づいて前記複数のアプリケーションプログラムの中から選択されたアプリケーションプログラムを前記端末装置に送信するアプリケーション送信手段とを有するテレビジョン受信装置であることを特徴とする。
【手続補正４】
【補正対象書類名】明細書
【補正対象項目名】００１３
【補正方法】変更
【補正の内容】
【００１３】
また本願における請求項７に記載の発明によれば、コンテンツデータを入力するコンテンツ入力手段と、
入力したコンテンツデータの属性を取得するコンテンツ属性取得手段と、
入力したコンテンツデータを表示端末装置に送信するコンテンツ送信手段と、
複数のアプリケーションプログラムを記憶する記憶手段と、
前記表示端末装置にアプリケーションプログラムを送信するアプリケーション送信手段と、
前記コンテンツ属性に基づいて前記複数のアプリケーションプログラムの中から選択されたアプリケーションプログラムを前記表示端末装置に送信するアプリケーション送信手段とを有するテレビジョン受信装置であることを特徴とする。
【手続補正５】
【補正対象書類名】明細書
【補正対象項目名】００１４
【補正方法】変更
【補正の内容】
【００１４】
また本願における請求項１３に記載の発明によれば、テレビジョン受信装置と、該テレビジョン受信装置とネットワークを介してデータの授受を行なう表示端末装置と、前記テレビジョン受信装置と接続された記録再生装置で構成されるテレビジョン受信システムにおいて、前記テレビジョン受信装置は、放送コンテンツを受信する放送コンテンツ受信手段と、前記記録再生装置からコンテンツデータを入力する蓄積コンテンツ入力手段と、前記表示端末装置からの指示に対応して、放送コンテンツまたは蓄積コンテンツデータを前記表示端末装置に送信するコンテンツ送信手段と、複数のアプリケーションプログラムを記憶する記憶手段と、前記表示端末装置へ送信中のコンテンツが放送コンテンツであるか前記記録再生装置より入力したコンテンツであるかに従って前記複数のアプリケーションプログラムの中から選択されたアプリケーションプログラムを前記表示端末装置に送信するアプリケーション送信手段とを備え、前記表示端末装置は、前記テレビジョン受信装置から送信されたコンテンツデータを受信する受信手段と、受信したコンテンツデータを再生するコンテンツ再生手段と、映像データを表示する表示手段と、前記コンテンツの再生と同時に前記テレビ受信装置から送信されたアプリケーションプログラムを実行するアプリケーション実行手段とを含むテレビジョン受信システムであることを特徴とする。
【手続補正６】
【補正対象書類名】明細書
【補正対象項目名】００１５
【補正方法】変更
【補正の内容】
【００１５】
また本願における請求項１５に記載の発明によれば、テレビジョン受信装置と、該テレビジョン受信装置とネットワークを介してデータの授受を行なう表示端末装置と、前記テレビジョン受信装置と接続された記録再生装置で構成されるテレビ受信システムにおいて、前記テレビジョン受信装置は、放送コンテンツデータを受信する放送コンテンツ受信手段と、前記記録再生装置から蓄積コンテンツデータを入力する蓄積コンテンツ入力手段と、入力したコンテンツデータの属性を取得するコンテンツ属性取得手段と、前記表示端末装置からの指示に対応して、放送コンテンツデータまたは蓄積コンテンツデータを前記表示端末装置に送信するコンテンツ送信手段と、複数のアプリケーションプログラムを記憶する記憶手段と、前記コンテンツ属性取得手段が取得したコンテンツ属性に基づき、前記アプリケーションプログラムのうち何れかを選択して、前記表示端末装置に送信するアプリケーション送信手段を有し、前記表示端末装置は、前記テレビ受信装置から送信されたコンテンツデータを受信する受信手段と、受信したコンテンツデータを再生するコンテンツ再生手段と、映像データを表示する表示手段と、前記コンテンツデータの再生と同時に前記テレビ受信装置から送信されたアプリケーションプログラムを実行するアプリケーション実行手段とを有するテレビ受信システムであることを特徴とする。
【手続補正７】
【補正対象書類名】図面
【補正対象項目名】図２
【補正方法】変更
【補正の内容】
【図２】
2005012652.tif 000001
【手続補正８】
【補正対象書類名】図面
【補正対象項目名】図５
【補正方法】変更
【補正の内容】
【図５】
2005012652.tif 000002